(57)【要約】【課題】低コストで演色性を効果的に高めることができる照明装置を備えたショーケースを提供する。【解決手段】前面に開口部を有する断熱壁の内部に陳列室を配置し、断熱壁と陳列室との間に設けた区画壁と断熱壁との間にダクトを形成し、開口部の上縁に設けた吹出口から冷気を吹き出して開口部の下縁に設けた吸込口に吸い込んで開口部の前面に冷気のエアカーテンを形成して陳列室内を冷却するとともに、陳列室内に陳列した商品を照明する照明装置を備えたショーケースにおいて、照明装置１０は、光源として白色ＬＥＤ１５と赤色ＬＥＤ１６とを用いるとともに、該光源からの照射光を透光板１３を介して前記商品に照射する。【選択図】図１
2011240010.tif 000002
【特許請求の範囲】
【請求項１】
前面に開口部を有する断熱壁の内部に陳列室を配置し、前記断熱壁と前記陳列室との間に区画壁を設け、断熱壁と区画壁との間にダクトを形成し、前記開口部の上縁に前記ダクトに連通する吹出口を設け、冷却器で熱交換して冷却された冷気を前記吹出口から吹き出して前記開口部の下縁に設けた吸込口に吸い込んで循環させることにより、前記開口部の開口端に冷気のエアカーテンを形成して陳列室内を冷却するとともに、前記陳列室内に陳列した商品を照明する照明装置を備えたショーケースにおいて、
前記照明装置は、光源として白色ＬＥＤと赤色ＬＥＤとを用いるとともに、該光源からの照射光を透光板を介して前記商品に照射することを特徴とするショーケース。
【請求項２】
前記白色ＬＥＤ及び前記赤色ＬＥＤは、照度がそれぞれ調節可能となっていることを特徴とする請求項１記載のショーケース。
【請求項３】
前記透光板は、前記白色ＬＥＤ及び前記赤色ＬＥＤからの照射光を拡散させる構造を有するとともに、前記光源の前面に着脱可能に設けられていることを特徴とする請求項１又は２記載のショーケース。
【請求項４】
前記白色ＬＥＤ及び前記赤色ＬＥＤは、複数の白色ＬＥＤ及び複数の赤色ＬＥＤが交互に配列されていることを特徴とする請求項１乃至３のいずれか１項記載のショーケース。
【請求項５】
前記白色ＬＥＤ及び前記赤色ＬＥＤは、複数の白色ＬＥＤと複数の赤色ＬＥＤとが開口部幅方向に平行に配列されていることを特徴とする請求項１乃至３のいずれか１項記載のショーケース。
【発明の詳細な説明】
【技術分野】
【０００１】
本発明は、ショーケースに関し、詳しくは、前面に開口部を有する陳列室内に陳列した商品を照明する照明装置を備えたショーケースの光源に関する。
【背景技術】
【０００２】
スーパーマーケットやコンビニエンスストア等の食品売場では、前面に開口部を有する断熱壁の内部に陳列室を配置し、断熱壁と陳列室との間に設けた区画壁と断熱壁との間に形成したダクト内の冷却器で熱交換して冷却した冷気を、開口部の上縁に設けた吹出口から吹き出して開口部の下縁に設けた吸込口に吸い込むことにより開口部にエアカーテンを形成して陳列室内を冷却するとともに、光源として蛍光灯を用いた照明装置を開口部の上部下面や商品陳列棚の先端部下面に設けている（例えば、特許文献１参照。）。
【先行技術文献】
【特許文献】
【０００３】
【特許文献１】特開２００９−１６５７０７号公報
【発明の概要】
【発明が解決しようとする課題】
【０００４】
従来のショーケース庫内照明に用いられる蛍光灯は、ＬＥＤ照明などに比べ、陳列した商品の見栄えもよく演色性に優れており、また、蛍光灯それ自体のコストもＬＥＤ照明に比べて安価であるという利点がある。
しかしながら、ＬＥＤ照明の方が、点灯中の消費電力を低く抑えることができ電気代の節減を図ることができる。また、ＬＥＤ照明は蛍光灯に比べて発熱が少なく庫内温度の上昇を招くことがほとんどないため、ショーケースの冷却効果を損なうおそれがない。また、ＬＥＤ照明は蛍光灯に比べ長寿命であるため、交換の手間も減少する。そのため、ＬＥＤ照明の方が、蛍光灯に比べて結局は経済的である。
【０００５】
本発明は、上記の点に鑑みなされたもので、光源にＬＥＤ照明を用いて低コスト化を図るとともに、採用するＬＥＤ照明の色合いと構造上の工夫によって、多様な演色性が得られる照明装置を備えたショーケースを提供することを目的とする。
【課題を解決するための手段】
【０００６】
上記の課題を解決するため本発明のショーケースは、前面に開口部を有する断熱壁の内部に陳列室を配置し、前記断熱壁と前記陳列室との間に区画壁を設け、断熱壁と区画壁との間にダクトを形成し、前記開口部の上縁に前記ダクトに連通する吹出口を設け、冷却器で熱交換して冷却された冷気を前記吹出口から吹き出して前記開口部の下縁に設けた吸込口に吸い込んで循環させることにより、前記開口部の開口端に冷気のエアカーテンを形成して陳列室内を冷却するとともに、前記陳列室内に陳列した商品を照明する照明装置を備えたショーケースにおいて、前記照明装置は、光源として白色ＬＥＤと赤色ＬＥＤとを用いるとともに、該光源からの照射光を透光板を介して前記商品に照射することを特徴としている。
【０００７】
さらに、本発明のショーケースは、前記白色ＬＥＤ及び前記赤色ＬＥＤは、照度がそれぞれ調節可能となっていることが好ましく、前記透光板は、前記白色ＬＥＤ及び前記赤色ＬＥＤからの照射光を拡散させる構造を有するとともに、前記光源の前面に着脱可能に設けられていることが好ましい。
【０００８】
また、前記白色ＬＥＤ及び前記赤色ＬＥＤは、複数の白色ＬＥＤ及び複数の赤色ＬＥＤが交互に配列してもよく、複数の白色ＬＥＤと複数の赤色ＬＥＤとが開口部幅方向に平行に配列してもよい。
【発明の効果】
【０００９】
本発明のショーケースによれば、白色ＬＥＤと赤色ＬＥＤと透光板とを組み合わせて用いることにより、様々な色調の照射光とすることができ、低コストで多様な演色性を得ることができる。また、白色ＬＥＤ及び赤色ＬＥＤの照度を調節することにより、照明対象となる商品に応じて効果的な演色性を得ることができる。さらに、透光板として照射光の拡散効果を有するものを使用することにより、陳列した商品全体に効果的に照射光を照射することができ、着脱可能とすることによって拡散性や色味を商品に応じて各種透光板を選択することができる。また、白色ＬＥＤと赤色ＬＥＤとを交互に配置したり、一列ずつ平行に配置したりすることにより、白色ＬＥＤと赤色ＬＥＤとをバランスよく配置できるとともに、商品を均一に照明することができる。
【図面の簡単な説明】
【００１０】
【図１】本発明のショーケースにおける照明装置を備えた商品陳列棚の一形態例を示す断面側面図である。
【図２】光源の配置状態を示す説明図である。
【図３】本発明を適用したショーケースの一例を示す断面側面図である。
【図４】同じく正面図である。
【発明を実施するための形態】
【００１１】
ショーケース１は、前面に開口部２を有する断熱壁３の内部に区画壁４を介して陳列室５を配置し、断熱壁３と区画壁４との間に冷気が流れるダクト６を形成している。開口部２の上縁前端部にはダクト６の上端部に連通する吹出口７が、開口部２の下縁前端部にはダクト６の下端部に連通する吸込口８がそれぞれ設けられており、ダクト６内に配置した冷却器（図示せず）で熱交換して冷却された冷気を吹出口７から吹き出し、吸込口８から吸い込んで循環させることにより、開口部２の前面に冷気のエアカーテンを形成するとともに、陳列室５内をあらかじめ設定された温度に冷却している。また、前記陳列室５の内部には、区画壁４の前面に着脱可能に装着される上下複数段の商品陳列棚９が取り付けられている。
【００１２】
各商品陳列棚９の前端部下面及び陳列室５の天井部先端下面には、陳列室５内に陳列した商品を照明するための照明装置１０がそれぞれ設けられている。商品陳列棚９に設けられた照明装置１０は、商品陳列棚９の下面に設けた照明取付板１１と商品陳列棚９の先端に設けられている棚フェンス９ａとにより、基本的な全体形状が、下方が開口した断面コ字形の溝状に形成されている。照明取付板１１の下端開口縁と棚フェンス９ａの下端後部側とには、一対の透光板保持片１２が対向した状態で設けられており、この透光板保持片１２に、透光板１３が着脱可能な状態で取り付けられている。
【００１３】
照明装置１０の光源は、光源ホルダ１４に取り付けられた状態で、透光板１３の上方に位置する照明取付板１１の下面に取り付けられている。光源ホルダ１４には、光源として複数の白色ＬＥＤ１５と複数の赤色ＬＥＤ１６とが照射方向を下向きにして設けられている。白色ＬＥＤ１５と赤色ＬＥＤ１６との配列は、図２（ａ）に示すように、同数の白色ＬＥＤ１５と赤色ＬＥＤ１６とを光源ホルダ１４の長さ方向（開口部幅方向）に一列ずつ並べて配置したり、図２（ｂ）に示すように、同数の白色ＬＥＤ１５と赤色ＬＥＤ１６とを交互に配置したりすることができる。
【００１４】
また、白色ＬＥＤ１５及び赤色ＬＥＤ１６にそれぞれ電源供給を行う照明用電源部１７に、白色ＬＥＤ１５及び赤色ＬＥＤ１６に供給する電流量をそれぞれ調整したりして白色ＬＥＤ１５の照度及び赤色ＬＥＤ１６の照度を個別に調整する照度調節機能を設けることにより、白色ＬＥＤ１５の照度と赤色ＬＥＤ１６の照度とを適宜調整することが可能となる。これにより、照射光の色調を白色から赤色まで自由に変化させることができ、照明対象となる商品に合わせて演色性を高めた色調を得ることができる。
【００１５】
前記透光板１３は、点光源であるＬＥＤからの照射光を拡散させる機能を有するものであって、通常は無色透明乃至無色半透明のものを使用すればよいが、必要に応じて任意の色調を有する透光板を使用することができる。例えば、白色ＬＥＤ１５及び赤色ＬＥＤ１６の照度を一定としたまま透光板１３の色調を変化させることによって陳列した商品に照射する光の色調を変化させることができ、また、白色ＬＥＤ１５及び赤色ＬＥＤ１６の照度を変化させるとともに、任意の色調の透光板１３を組み合わせることにより、様々な色調の照射光を得ることができる。
【００１６】
このような照明装置１０を設けることにより、白色ＬＥＤ１５の照度及び赤色ＬＥＤ１６の照度を調節することにより、鮮魚、精肉、青物、果物などの陳列した商品に応じた色調で商品を照明することができ、演色性を高めることができる。例えば、鮮魚の場合には、透光板１３として青色が強調されたものを使用することにより、赤身の商品を引き立たせながら、魚介類をみずみずしく見せることができる。また、精肉の場合には、透光板１３として緑色が強調されたものを使用することにより、肉類の赤身部分を強調しながら脂身部分の白さも引き立たせることができる。同様に、緑色が強調された透光板１３を使用し、白色ＬＥＤ１５の照度を赤色ＬＥＤ１６の照度より高く設定することにより、野菜などの青物を青々しく見せることができ、逆に、赤色ＬＥＤ１６の照度を白色ＬＥＤ１５の照度より高く設定することにより、リンゴやバナナなどの果物をより鮮やかに見せることができる。
【００１７】
なお、陳列室の天井部に設ける照明装置も基本的に同じ構成とすることができる。さらに、ショーケースの形状や構造は本形態例に限定されるものではなく、各種構成のショーケースにも本発明を適用することができ、多数の白色ＬＥＤ及び赤色ＬＥＤを面状に配列することも可能であり、白色ＬＥＤ及び赤色ＬＥＤの数が異なっていてもよい。
【符号の説明】
【００１８】
１  ショーケース
２  開口部
３  断熱壁
４  区画壁
５  陳列室
６  ダクト
７  吹出口
８  吸込口
９  商品陳列棚
９ａ  棚フェンス
１０  照明装置
１１  照明取付板
１２  透光板保持片
１３  透光板
１４  光源ホルダ
１５  白色ＬＥＤ
１６  赤色ＬＥＤ
１７  照明用電源部
【図１】
2011240010.tif 000003
【図２】
2011240010.tif 000004
【図３】
2011240010.tif 000005
【図４】
2011240010.tif 000006